(57)【特許請求の範囲】
【請求項１】
自装置を制御する制御部と、
紙葉類を搬送する搬送機構と、前記制御部によって制御される第１の制御回路と、前記第１の制御回路によって制御されると共に前記搬送機構を制御する第２の制御回路と、を有する紙葉類取扱モジュールと、
前記第１の制御回路及び前記第２の制御回路にそれぞれ電力を供給する電源部と、
前記電源部から前記第１の制御回路に電力を供給する第１の電源ケーブルと、
前記電源部から前記第２の制御回路に電力を供給する第２の電源ケーブルと、を備え、
前記第１の制御回路は、前記第１の電源ケーブルが接続される第１の接続部と、前記第１の接続部と接続された第１の突入電流制限回路と、を有し、
前記第２の制御回路は、前記第２の電源ケーブルが接続される第２の接続部と、前記第２の接続部と接続された第２の突入電流制限回路と、を有し、
前記第２の制御回路は、前記第１の制御回路と接続され、前記第１の接続部へ前記電源部から電力が供給されているときにだけ作動可能になり、制御素子が、データ通信モジュールを介した前記第１の制御回路とのデータ通信が途切れたことを認識することによって、停止する、紙葉類取扱装置。
【請求項２】
前記制御部が行う制御に関する情報を表示する表示部と、前記電源部と、を有し、前記紙葉類取扱モジュールが装着される装置本体を更に備え、
前記制御部は、前記第２の制御回路に前記電源部から電力が供給されていないときに前記第１の制御回路が行っている制御に関する情報を前記表示部に表示させる、請求項１に記載の紙葉類取扱装置。
【請求項３】
前記紙葉類取扱モジュールは、紙幣の金種を鑑別する鑑別部を有し、
前記第２の制御回路は、前記鑑別部を制御する、請求項１に記載の紙葉類取扱装置。
【請求項４】
紙葉類を搬送する搬送機構と、紙葉類取扱装置を制御する制御部によって制御される第１の制御回路と、前記第１の制御回路によって制御されると共に前記搬送機構を制御する第２の制御回路と、を有する紙葉類取扱モジュールを備える紙葉類取扱装置の制御方法であって、
前記紙葉類取扱装置が、前記第１の制御回路に第１の電源ケーブルを介して電源部から電力が供給されると共に前記第２の制御回路に第２の電源ケーブルを介して前記電源部から電力が供給されている状態で、前記第１の電源ケーブルが前記第１の制御回路の第１の接続部から外されたときに前記第１の制御回路及び前記第２の制御回路を停止し、前記第２の電源ケーブルが前記第２の制御回路の第２の接続部から外されたときに前記第１の制御回路を停止せずに前記第２の制御回路を停止し、
前記第２の制御回路は、前記第１の制御回路と接続され、前記第１の接続部へ前記電源部から電力が供給されているときにだけ作動可能になり、制御素子が、データ通信モジュールを介した前記第１の制御回路とのデータ通信が途切れたことを認識することによって、停止する、紙葉類取扱装置の制御方法。
【発明の詳細な説明】
【技術分野】
【０００１】
本発明は、紙葉類取扱装置及び紙葉類取扱装置の制御方法に関する。
【背景技術】
【０００２】
関連技術の紙幣取扱装置は、例えば、入金された紙幣の金種等を鑑別する鑑別部と、鑑別部で鑑別された紙幣が一時的に収容される保留部と、保留部から送られた紙幣が収容される収容部と、を備える。紙幣取扱装置では、鑑別部、保留部及び収容部と、これら各部に紙幣を搬送する搬送機構とが、紙幣取扱モジュール（以下、メカモジュールとも称する）として構成されたものがある。このような紙幣取扱モジュールを備える紙幣取扱装置は、預金通帳やキャッシュカードを取り扱う他のメカモジュールを備えるものもある。【０００３】
この種の紙幣取扱装置では、構成の簡素化、効率化を図るために、装置本体に設けられた電源部から個々のメカモジュールに電力がそれぞれ供給されている。そして、紙幣取扱装置において、個々のメカモジュールの保守や修理等を行う場合には、紙幣取扱装置の電源部を切断した後、所望のメカモジュールの保守や修理等が行われている。また、紙幣ユニットと、紙幣処理を行うアプリケーションとがＵＳＢケーブルを用いて接続された構成も知られている。
【先行技術文献】
【特許文献】
【０００４】
【特許文献１】特開２０１１−１８６８５７号公報
【発明の概要】
【発明が解決しようとする課題】
【０００５】
ところで、複数のメカモジュールのいずれかの保守や修理を行う場合には、装置本体の電源部が切断されるので、修理等を行う必要がない他のメカモジュールについても電源が切断されて停止することになる。そのため、紙幣取扱装置での取扱データのバックアップ作業が必要になる場合もあり、電源部を切断するまでに時間を要する。また、紙幣取扱装置にメカモジュールを取り付けた後、電源部を再投入した場合にも、紙幣取扱装置全体が取扱処理を行える状態に復帰するまでに時間を要する。この対策として、紙幣取扱装置の電源部とメカモジュールとを電源ケーブルを介して接続することで、紙幣取扱装置の電源部を切断せずに、個々のメカモジュール毎に独立して電源部から切断可能に構成することが望ましい。【０００６】
しかしながら、上述したメカモジュールでは、紙幣や預金通帳等を搬送する搬送機構を駆動するために多くの電流を必要としている。このため、メカモジュールが電源部から切断された後、電源部からメカモジュールに電力が供給されたときに突入電流が生じるおそれがある。メカモジュールのコネクタに電源ケーブルを接続したときに、メカモジュールへ突入電流が流れた場合には、コネクタの劣化や、メカモジュールの誤作動を招くおそれがある。【０００７】
開示の技術は、上記に鑑みてなされたものであって、突入電流によって紙葉類取扱モジュールの劣化や誤作動を招くことを防ぎ、電源部を切断することなく紙葉類取扱モジュール毎に電源ケーブルを挿抜することができる紙葉類取扱装置及び紙葉類取扱装置の制御方法を提供することを目的とする。
【課題を解決するための手段】
【０００８】
本願の開示する紙葉類取扱装置の一態様は、自装置を制御する制御部と、
紙葉類を搬送する搬送機構と、前記制御部によって制御される第１の制御回路と、前記第１の制御回路によって制御されると共に前記搬送機構を制御する第２の制御回路と、を有する紙葉類取扱モジュールと、
前記第１の制御回路及び前記第２の制御回路にそれぞれ電力を供給する電源部と、
前記電源部から前記第１の制御回路に電力を供給する第１の電源ケーブルと、
前記電源部から前記第２の制御回路に電力を供給する第２の電源ケーブルと、を備える。前記第１の制御回路は、前記第１の電源ケーブルが接続される第１の接続部と、前記第１の接続部と接続された第１の突入電流制限回路と、を有する。前記第２の制御回路は、前記第２の電源ケーブルが接続される第２の接続部と、前記第２の接続部と接続された第２の突入電流制限回路と、を有する。
【発明の効果】
【０００９】
本願の開示する紙葉類取扱装置の一態様によれば、突入電流によって紙葉類取扱モジュールの劣化や誤作動を招くことを防ぐことができる。
【図面の簡単な説明】
【００１０】
【図１】図１は、実施例の紙幣取扱装置を示すブロック図である。
【図２】図２は、実施例の紙幣取扱装置を示す模式図である。
【図３】図３は、実施例の紙幣取扱装置が有する紙幣取扱モジュールを示す模式図である。
【図４】図４は、実施例の紙幣取扱装置が有する紙幣取扱モジュールの保守や修理を行う状態を説明するための模式図である。
【図５】図５は、実施例における紙幣取扱モジュールの各制御回路での電源の振る舞いを説明するためのフローチャートである。
【発明を実施するための形態】
【００１１】
以下に、本願の開示する紙葉類取扱装置及び紙葉類取扱装置の制御方法の実施例を図面に基づいて詳細に説明する。なお、以下の実施例によって、本願の開示する紙葉類取扱装置及び紙葉類取扱装置の制御方法が限定されるものではない。
【実施例】
【００１２】
図１は、実施例の紙幣取扱装置を示すブロック図である。図１に示すように、実施例に係る紙幣取扱装置１は、入出金する紙幣を取り扱う紙幣取扱モジュール６と、キャッシュカードを取り扱うカード取扱モジュール７と、預金通帳を取り扱う通帳取扱モジュール８と、を備える。これらの各メカモジュール６，７，８は、紙幣、キャッシュカード及び通帳をそれぞれ搬送する搬送機構を有する。【００１３】
また、紙幣取扱装置１は、紙幣取扱装置１（自装置）としての各メカモジュール６，７，８をそれぞれ制御する制御部９と、各メカモジュール６，７，８及び制御部９等に電力をそれぞれ供給する主電源である電源部１０と、備える。電源部１０は、装置本体５に設けられており、電源スイッチ１０ａを有し、電源スイッチ１０ａを切断することで、全ての各メカモジュール６，７，８、制御部９等が停止し、紙幣取扱装置１が停止する。また、電源部１０と、各メカモジュール６，７，８、制御部９とは、電源ケーブル１１を介して個々に接続されている。なお、本実施例における電源部１０は、電源ケーブル１１によって、各メカモジュール６，７，８に、例えば、２４Ｖ程度の電圧を供給する。また、制御部９と、各メカモジュール６，７，８とは、制御信号を送る信号線であるＵＳＢ（Universal  Serial  Bus）ケーブル１２を介して個々に接続されている。【００１４】
続いて、紙幣取扱装置１の更に具体的な構成について説明する。図２は、実施例の紙幣取扱装置全体を示す模式図である。図２に示すように、実施例の紙幣取扱装置１が有する紙幣取扱モジュール６は、紙幣３を入出金する入出金部１３と、入出金部１３に入金された紙幣３を鑑別する鑑別部１４と、鑑別部１４から搬送された紙幣３を一時的に収容する保留部１５と、を備える。また、紙幣取扱装置１は、保留部１５から送られた紙幣３を収容する複数の収容部１６と、紙幣３を搬送する搬送機構１７と、を有する。これら各部１３〜１６及び搬送機構１７は、制御部９からの指令を受けた、第１の制御回路２１によって制御される。また、図示しないが、紙幣取扱装置１は、必要に応じて、収容部１６に収容された紙幣３を還流させる還流部や、紙幣３を格納する格納部を備えてもよい。【００１５】
また、紙幣取扱装置１の装置本体５には、制御部９が行う紙幣３等の取り扱いに関する情報を表示する表示部１８が設けられている。また、紙幣取扱装置１が有するカード取扱モジュール７は、キャッシュカードを搬送する搬送機構（図示せず）と、キャッシュカードを受け付けるカード読取部２０を有する。また、紙幣取扱装置１が有する通帳取扱モジュール８は、預金通帳を搬送する搬送機構（図示せず）と、預金通帳に取扱データを印字する通帳プリント部１９を有する。【００１６】
本実施例では、紙葉類の一例として紙幣３を用いるが、紙幣３に限定するものではなく、金券等の他の紙葉類が用いられてもよい。また、実施例では、紙葉類取扱モジュールの一例として紙幣取扱モジュール６を用いて説明するが、紙葉類としては、紙幣取扱装置１で取り扱う通帳及びキャッシュカードを含めて指している。すなわち、紙葉類取扱モジュールは、紙幣取扱モジュール６に限定するものではなく、上述のカード取扱モジュール７や通帳取扱モジュール８に適用されてもよい。また、紙葉類取扱モジュールとしては、紙葉類を搬送する搬送機構と、制御部によって制御される制御回路と、制御回路によって制御されると共に搬送機構を制御する駆動回路と、を有する構成であれば、他の取扱モジュールに適用されてもよい。【００１７】
図３は、実施例の紙幣取扱装置が有する紙幣取扱モジュールを示す模式図である。紙幣取扱モジュール６は、紙幣３を搬送する上述の搬送機構１７（図２参照）と、図３に示すように、制御部９によって制御される第１の制御回路２１と、第１の制御回路２１によって制御されると共に搬送機構１７を制御する第２の制御回路２２と、第１の制御回路２１によって制御されると共に搬送機構１７を制御する第３の制御回路２３と、を有する。また、紙幣取扱モジュール６は、上述した電源ケーブル１１に含まれる第１、第２及び第３の電源ケーブル１１ａ，１１ｂ，１１ｃによって、電源部１０から第１、第２及び第３の制御回路２２，２３にそれぞれ電力が供給される。【００１８】
第１の制御回路２１は、第１の電源ケーブル１１ａが接続される第１の接続部２５ａと、第１の接続部２５ａと接続された第１の突入電流制限回路としての第１のホットプラグイン回路２６ａと、を有する。第２の制御回路２２は、第１の制御回路２１と同様に、第２の電源ケーブル１１ｂが接続される第２の接続部２５ｂと、第２の接続部２５ｂと接続された第２の突入電流制限回路としての第２のホットプラグイン回路２６ｂと、を有する。また同様に、第３の制御回路２３は、第３の電源ケーブル１１ｃが接続される第３の接続部２５ｃと、第３の接続部２５ｃと接続された第３の突入電流制限回路としての第３のホットプラグイン回路２６ｃと、を有する。第１、第２及び第３の接続部２５ａ，２５ｂ，２５ｃとしては、いわゆるコネクタが用いられている。【００１９】
また、第１の制御回路２１は、ＵＳＢケーブル１２が接続されるＵＳＢ端子２７を有しており、ＵＳＢケーブル１２を介して制御部９と接続されている。また、第２及び第３の制御回路２２，２３は、第１の制御回路２１とデータの通信を行うデータ通信モジュール２８を有する。第２及び第３の制御回路２２，２３は、データ通信モジュール２８が行うデータ通信に基づいて、第１の制御回路２１の第１の接続部２５ａへ電源部１０から電力が供給されているときにだけそれぞれ作動可能になる。つまり、例えば、データ通信モジュール２８が図示しないＬＳＩ等の制御素子を有し、この制御素子が、データ通信モジュール２８を介した第１の制御回路２１とのデータ通信が途切れたことを認識することによって、第２及び第３の制御回路２２，２３は停止する。このような制御素子は、データ通信モジュールとは別途に、第２及び第３の制御回路２２，２３に設けられてもよい。また、データ通信は、パラレルバスまたはシリアルバスを用いて、ＲＳ２３２ＣやＲＳ４８５またはＬＶＤＳ等の方式によって行われる。【００２０】
また、第１、第２及び第３の制御回路２１，２２，２３としては、プリント回路基板が用いられている。第１の制御回路２１は、紙幣取扱モジュール６におけるメイン回路に相当する。第２及び第３の制御回路２２，２３は、サブ回路に相当しており、鑑別部１４、保留部１５及び収容部１６における搬送機構１７を駆動制御するドライバ回路である。また、第２及び第３の制御回路２２，２３は、互いに並列接続されると共に、第１の制御回路２１に対して直列接続されている。【００２１】
また、制御部９は、第２の制御回路２２に電源部１０から電力が供給されていないときに第１の制御回路２１や第３の制御回路２３が行っている制御に関する情報を表示部１８に表示させる。同様に、制御部９は、第３の制御回路２３に電源部１０から電力が供給されていないときに第１の制御回路２１や第２の制御回路２２が行っている制御に関する情報を表示部１８に表示させる。【００２２】
なお、図３では、図示する便宜上、第１、第２及び第３の制御回路２１，２２，２３のみを示しているが、各鑑別部１４、保留部１５、収容部１６等の各部にそれぞれ対応するように制御回路が設けられてもよい。実施例では、一例として、第２の制御回路２２が鑑別部１４及び保留部１５における搬送機構１７等を駆動制御し、第３の制御回路２３が複数の収容部１６における搬送機構１７を駆動制御するように構成されている。【００２３】
なお、本実施例における紙幣取扱モジュール６では、第１の制御回路２１が、鑑別部１４や保留部１５と独立して設けられたが、この構成に限定するものではない。第１の制御回路２１は、例えば、鑑別部１４に組み込まれてもよく、鑑別部１４における搬送機構１７の駆動制御に加えて、鑑別部１４の鑑別センサを制御するように構成されてもよい。【００２４】
また、図３においては、便宜上、第１、第２及び第３の電源ケーブル１１ａ，１１ｂ，１１ｃをまとめて示しており、電源部１０から紙幣取扱モジュール６に電力を供給する電源ケーブル１１が、第１、第２及び第３の電源ケーブル１１ａ，１１ｂ，１１ｃを含んでいる。なお、本実施例では、第１、第２及び第３の電源ケーブル１１ａ，１１ｂ，１１ｃが電源ケーブル１１としてまとめられたが、電源部１０と、紙幣取扱モジュール６の第１、第２及び第３の制御回路２１，２２，２３とを個々に接続する第１、第２及び第３の電源ケーブル１１ａ，１１ｂ，１１ｃを有してもよい。【００２５】
（紙幣取扱モジュールを保守や修理するときの各制御回路での電源の振る舞い）
図４は、実施例の紙幣取扱装置１が有する紙幣取扱モジュール６の保守や修理を行う状態を説明するための模式図である。ここでは、図４に示すように、紙幣取扱モジュール６において、例えば、第２の制御回路２２の修理を行う場合について説明する。この場合、紙幣取扱モジュール６は、第１、第２及び第３の制御回路２１，２２，２３に、第１、第２及び第３の電源ケーブル１１ａ，１１ｂ，１１ｃを介して電源部１０から電力がそれぞれ供給されている状態で、第２の制御回路２２の第２の接続部２５ｂから第２の電源ケーブル１１ｂが外される。【００２６】
第２の制御回路２２は、第２の電源ケーブル１１ｂが外されたときに作動を停止し、第２の制御回路２２が駆動制御する搬送機構１７の修理を行うことが可能になる。このとき、例えば、第２の制御回路２２が鑑別部１４の制御を行うように構成された場合には、鑑別部１４の鑑別センサ等の修理を行うことが可能になる。また、紙幣取扱モジュール６は、第２の制御回路２２が停止している間も、第１の制御回路２１及び第３の制御回路２３がそれぞれ作動を続ける。このため、紙幣取扱モジュール６では、例えば、鑑別部１４の修理中に、第３の制御回路２３が駆動制御する保留部１５等の作動を続けることができる。また、第１の制御回路２１は、修理中の鑑別部１４以外の各部１５，１６の取扱データを制御部９と送受信することができる。【００２７】
ここでは、第２の制御回路２２から第２の電源ケーブル１１ｂが外された場合について説明したが、第３の制御回路２３から第３の電源ケーブル１１ｃが外された場合についても、第２の制御回路２２における電源の振る舞いと同様である。また、第１の制御回路２１に第１の電源ケーブル１１ａによって電源部１０から電力が供給されている場合には、第２及び第３の制御回路２２，２３から第２及び第３の電源ケーブル１１ｂ，１１ｃがそれぞれ外されたときでも、第１の制御回路２１が作動を続ける。このため、紙幣取扱モジュール６は、第１の制御回路２１を介して、制御部９に対して取扱データ等の送受信を行うことが可能とされている。【００２８】
加えて、紙幣取扱モジュール６の修理中においても、紙幣取扱装置１の電源部１０が切断されていないので、通帳取扱モジュール８やカード取扱モジュール７が作動を続けており、紙幣取扱装置１が外部サーバ等と情報通信を行える状態に保たれている。そして、紙幣取扱モジュール６の修理後、修理を行った制御回路に電源ケーブルを接続することで、紙幣取扱モジュール６全体の機能が速やかに復帰する。したがって、紙幣取扱モジュール６を修理する場合に、紙幣取扱装置１全体の電源部１０が切断されないので、紙幣取扱モジュール６の電源を切断するために要する時間、修理後に紙幣取扱装置１の紙幣取扱動作を復帰させるために要する時間が短縮される。【００２９】
一方、紙幣取扱モジュール６では、第１の制御回路２１の第１の接続部２５ａから第１の電源ケーブル１１ａが外された場合、第１の制御回路２１が停止する。第１の制御回路２１が停止した場合には、第２及び第３の制御回路２２，２３に、第２及び第３の電源ケーブル１１ｂ，１１ｃによって電源部１０から電力が供給されている状態であっても、第２及び第３の制御回路２２，２３は、第１の制御回路２１とのデータ通信が途切れたことを認識することによって、第１の制御回路２１の停止と共に停止する。これにより、第１の制御回路２１が停止している状態で、第２及び第３の制御回路２２，２３が作動を続けた場合に、第２及び第３の制御回路２２，２３が駆動制御する搬送機構１７、鑑別部１４や保留部１５等が誤作動することを防げる。【００３０】
このように第１の制御回路２１から第１の電源ケーブル１１ａが外される場合は、紙幣取扱モジュール６全体の保守や修理を行う場合に相当する。このとき、紙幣取扱装置１は、紙幣取扱モジュール６全体が停止している状態においても、電源部１０が切断されていない。したがって、紙幣取扱装置１では、紙幣取扱モジュール６全体の保守や修理を行っている場合であっても、カード取扱モジュール７及び通帳取扱モジュール８が作動を続けており、制御部９が外部サーバ等と情報通信を行える状態が保たれている。【００３１】
そして、各制御回路２１，２２，２３のいずれかの保守や修理を行った後、各制御回路２１，２２，２３の各接続部２５ａ，２５ｂ，２５ｃに、各電源ケーブル１１ａ，１１ｂ，１１ｃが接続されることで、電源部１０から電力が供給されたときに突入電流が生じる場合がある。このように電源を再投入したときに突入電流が生じた場合であっても、各制御回路２１，２２，２３は、各接続部２５ａ，２５ｂ，２５ｃに接続された各ホットプラグイン回路２６ａ，２６ｂ，２６ｃによって突入電流が適正に制限される。このため、各制御回路２１，２２，２３の各接続部２５ａ，２５ｂ，２５ｃの劣化や、各制御回路２１，２２，２３の誤作動を防ぐことができる。【００３２】
図５は、実施例における紙幣取扱モジュール６の各制御回路での電源の振る舞いを説明するためのフローチャートである。まず、紙幣取扱装置１の作動時、紙幣取扱モジュール６は、第１、第２及び第３の制御回路２１，２２，２３と、電源部１０とが第１、第２及び第３の電源ケーブル１１ａ，１１ｂ，１１ｃを介してそれぞれ接続されている。ここでは、簡素に説明するため、第１及び第２の制御回路２１，２２と、第１及び第２の電源ケーブル１１ａ，１１ｂとについて説明する。【００３３】
第１の制御回路２１と第２の制御回路２２は、第１及び第２の電源ケーブル１１ａ，１１ｂによって電源部１０から個々に電力が供給されており、図５に示すように、第１の制御回路２１及び第２の制御回路２２のそれぞれの電源がＯＮ状態である（ステップＳ１）。紙幣取扱モジュール６の保守や修理を行うとき、電源部１０がＯＮ状態を保ったままで、第１の制御回路２１から第１の電源ケーブル１１ａ、または第２の制御回路２２から第２の電源ケーブル１１ｂが選択的に外される。【００３４】
制御部９及び第１の制御回路２１は、第１の制御回路２１の第１の接続部２５ａから第１の電源ケーブル１１ａが外された否かを判定する（ステップＳ２）。続いて、制御部９及び第１の制御回路２１は、第２の制御回路２２の第２の接続部２５ｂから第２の電源ケーブル１１ｂが外された否かを判定する（ステップＳ３）。【００３５】
第１の制御回路２１から第１の電源ケーブル１１ａが外された場合（ステップＳ２のYes）、第１の制御回路２１は停止する（ステップＳ４）。続いて、第１の制御回路２１が停止した場合、第２の制御回路２２に第２の電源ケーブル１１ｂによって電力が供給されている場合であっても、第１の制御回路２１とのデータ通信が途切れたことにより、第２の制御回路２２は停止する（ステップＳ５）。【００３６】
一方で、第１の制御回路２１から第１の電源ケーブル１１ａが外されていない場合（ステップＳ２のNo）、第１の制御回路２１は作動を続けたままで、ステップＳ３に移る。第２の制御回路２２から第２の電源ケーブル１１ｂが外された場合（ステップ３のYes）、第２の制御回路２２は停止する（ステップＳ５）。また、第２の制御回路２２から第２の電源ケーブル１１ｂが外されていない場合（ステップ３のNo）、ステップＳ２に戻る。【００３７】
以上、第１及び第２の制御回路２１，２２、第１及び第２の電源ケーブル１１ａ，１１ｂについて説明したが、第３の制御回路２３及び第３の電源ケーブル１１ｃにおける電源の振る舞いも、上述した第２の制御回路２２及び第２の電源ケーブル１１ｂにおける電源の振る舞いと同様である。また、第２及び第３の制御回路２２，２３が互いに並列接続されているので、第３の制御回路２３は、第２の制御回路２２から第２の電源ケーブル１１ｂが外されて停止した場合であっても、第１の制御回路２１と同様に作動を続ける。【００３８】
上述したように、紙幣取扱モジュール６では、例えば、第２の制御回路２２の保守や修理を行うために第２の制御回路２２が停止されている状態においても、第１の制御回路２１が作動を続けている。このため、紙幣取扱モジュール６は、一部の機能のみを停止し、他の機能が動作を続ける。すなわち、紙幣取扱モジュール６では、保守や修理が行われている鑑別部１４が停止している場合であっても、保留部１５や収容部１６が、鑑別部１４の停止にかかわらずに動作可能な機能を続けることが可能になる。このため、紙幣取扱装置１では、紙幣取扱モジュール６の一部の機能が停止している状態であっても、制御部９により、紙幣取扱モジュール６において作動中の各部が、外部サーバ等と情報通信を続けることができる。【００３９】
また、制御部９は、作動を続けている第１の制御回路２１等が行っている制御に関する情報を表示部１８に表示することができる。このとき、表示部１８に表示される情報としては、例えば、利用者へ紙幣取扱装置１（紙幣取扱モジュール６）が修理中であることを表示したり、紙幣取扱装置１の一部の取り扱い機能が休止していることを表示したりすることができる。【００４０】
例えば、紙幣取扱モジュール６の鑑別部１４が停止し、収容部１６が作動している場合、制御部９は、紙幣３の引き出しのみが可能である等の状態を表示部１８に表示する。このため、紙幣取扱装置１の利用者の利便性が高められる。なお、制御部９は、紙幣取扱モジュール６に関する情報を表示させる制御に加えて、外部サーバ等と通信を行うように制御されてもよい。【００４１】
上述した紙幣取扱装置１の制御方法は、第１の制御回路２１に第１の電源ケーブル１１ａを介して電源部１０から電力が供給されると共に、第２の制御回路２２に第２の電源ケーブル１１ｂを介して電源部１０から電力が供給されている状態で、第１の電源ケーブル１１ａが第１の制御回路２１の第１の接続部２５ａから外されたときに第１の制御回路２１及び第２の制御回路２２を停止する。また、第２の電源ケーブル１１ｂが第２の制御回路２２の第２の接続部２５ｂから外されたときに第１の制御回路２１を停止せずに第２の制御回路２２を停止する。【００４２】
実施例の紙幣取扱装置１は、第１の電源ケーブル１１ａが接続される第１の接続部２５ａと接続された第１のホットプラグイン回路２６ａを有する第１の制御回路２１と、第２の電源ケーブル１１ｂが接続される第２の接続部２５ｂと接続された第２のホットプラグイン回路２６ｂを有する第２の制御回路２２と、を有する。これにより、第１及び第２の制御回路２１，２２の各接続部２５ａ，２５ｂに第１及び第２の電源ケーブル１１ａ，１１ｂを接続したときに、第１及び第２の制御回路２１，２２に流れる突入電流によって、各接続部２５ａ，２５ｂの劣化や紙幣取扱モジュール６の誤作動を招くことを防ぐことができる。【００４３】
また、紙幣取扱モジュール６によれば、第１及び第２の制御回路２１，２２が、第１及び第２の電源ケーブル１１ａ，１１ｂを介して個々に電源部１０から電力がそれぞれ供給されることで、第１及び第２の制御回路２１，２２の一方の電源だけを選択的に切断することが可能になる。これにより、紙幣取扱モジュール６の一部分のみ、例えば鑑別部１４のみを停止し、他の部分、例えば保留部１５や収容部１６の作動を続けることができる。したがって、紙幣取扱装置１の一部、例えば搬送機構１７の一部を修理する場合に、紙幣取扱装置１の電源部１０が切断されないので、紙幣取扱装置１全体が停止することを避けることができる。その結果、紙幣取扱モジュール６の保守や修理を行う場合に、紙幣取扱モジュール６の電源を切断するために要する時間、修理後に紙幣取扱装置１の紙幣取扱動作を復帰させるために要する時間を短縮することが可能になる。【００４４】
なお、上述した実施形態では、１つの電源部１０から、第１及び第２の電源ケーブル１１ａ，１１ｂを介して第１及び第２の制御回路２１，２２にそれぞれ電力が供給されるように構成されたが、この構成に限定されるものではない。必要に応じて、２つの電源部から、第１及び第２の電源ケーブル１１ａ，１１ｂを介して第１及び第２の制御回路２１，２２にそれぞれ個別に電力が供給されるように構成されてもよい。【００４５】
また、実施例の紙幣取扱装置１は、第２の制御回路２２は、第１の制御回路２１と接続されて第１の接続部２５ａへ電源部１０から電力が供給されているときにだけ第１の制御回路２１とデータ通信を行い、データ通信が行われているときだけ作動可能になる。これにより、第１の制御回路２１が停止している状態で、電力が供給されている第２の制御回路２２が作動を続けた場合に搬送機構１７等の誤作動が生じることを防ぐことができる。つまり、電源部１０を切断することなく紙幣取扱モジュール６毎に第１及び第２の電源ケーブル１１ａ，１１ｂを挿抜することができる。加えて、このように第２の制御回路２２の誤作動が防止されることで、第１及び第２の制御回路２１，２２に第１及び第２の電源ケーブル１１ａ，１１ｂを接続する順序が自由になる。その結果、第１及び第２の制御回路２１，２２の電源を投入する場合における第１及び第２の電源ケーブル１１ａ，１１ｂの取り扱い時の自由度を向上することができる。【００４６】
また、実施例の紙幣取扱装置１における制御部９は、第２の制御回路２２に電源部１０から電力が供給されていないときに第１の制御回路２１が行っている制御に関する情報を表示部１８に表示させる。これにより、第２の制御回路２２の保守や修理を行っているときに紙幣取扱モジュール６の一部の機能が停止している状態であっても、第１の制御回路２１が行っている紙幣取扱モジュール６の他の機能に関する情報、例えば紙幣３の引き出しのみが可能である等の状態を表示部１８に表示することができる。このため、紙幣取扱装置１の利用者の利便性を高めることができる。
【符号の説明】
【００４７】
１  紙幣取扱装置
３  紙幣
５  装置本体
６  紙幣取扱モジュール
９  制御部
１０  電源部
１１  電源ケーブル
１１ａ  第１の電源ケーブル
１１ｂ  第２の電源ケーブル
１１ｃ  第３の電源ケーブル
１７  搬送機構
１８  表示部
２１  第１の制御回路
２２  第２の制御回路
２３  第３の制御回路
２５ａ  第１の接続部
２５ｂ  第２の接続部
２５ｃ  第３の接続部
２６ａ  第１のホットプラグイン回路
２６ｂ  第２のホットプラグイン回路
２６ｃ  第３のホットプラグイン回路
２８  データ通信モジュール
【図１】
0006491344.tif 000002
【図２】
0006491344.tif 000003
【図３】
0006491344.tif 000004
【図４】
0006491344.tif 000005
【図５】
0006491344.tif 000006